(57)【要約】【課題】遊技盤の取付けや交換を行う際、電気的な装飾装置と遊技関連部品との接続作業を行う必要がなく、また、電気的な装飾装置を含む電飾部品の一部に故障が生じたときにも、当該故障が生じた部分だけを交換することができる遊技機の提供を目的としている。【解決手段】本発明は、遊技関連部品を取り付けるための取付け版体Ｂが、遊技盤７に着脱自在に装着されているとともに、その遊技盤７の所要位置に形成した開口部７ｂに臨むように配設した電気的な装飾装置５１が、この配設領域を含む広い面積となるように形成した基板４９上に配設されており、その基板４９を、上記取付け版体Ｂの遊技盤７との対向面に固定した構成になっている。【選択図】  図３
2004337363.tif 000002
【特許請求の範囲】
【請求項１】
遊技関連部品を取り付けるための取付け版体が、遊技盤に着脱自在に装着されているとともに、
その遊技盤の所要位置に形成した開口部に臨むように配設した電気的な装飾装置が、この配設領域を含む広い面積となるように形成した基板上に配設されており、
その基板を、上記取付け版体の遊技盤との対向面に固定していることを特徴とする遊技機。
【請求項２】
上記電気的な装飾装置は、取付け版体に対し所要の取付け機構によって取り付けられていることを特徴とする請求項１記載の遊技機。
【請求項３】
上記電気的な装飾装置は、発光体と、この発光体を囲繞しかつ開口部に臨むようにした発光体囲繞部材とを有しており、その発光体囲繞部材を、上記の発光体から発せられた光を反射しやすい色彩にしていることを特徴とする請求項１又は２記載の遊技機。
【請求項４】
発光体囲繞部材は、開口部とほぼ同じ輪郭形状にした底壁の周囲に側壁を立設した有底器形のものであり、その底壁に発光体を組み込むための発光体取付け部が形成されていることを特徴とする請求項３記載の遊技機。
【請求項５】
取付け版体は、遊技媒体の流下通路を形成する通路部材が設けられていることを特徴とする請求項１，２，３又は４記載の遊技機。
【請求項６】
遊技盤に設けられた複数の開口部に複数の装飾装置を配設した基板を取付け版体に取り付けていることを特徴とする請求項１，２，３，４又は５記載の遊技機。
【発明の詳細な説明】
【０００１】
【発明の属する技術分野】
本発明は、例えばぱちんこ機やピンボールマシン等の遊技機に関し、発光体その他の電気的な装飾装置を備えた遊技機に関する。
【０００２】
【従来の技術】
図１０は、遊技盤に配設されている従来の電飾ユニットを例示するものであり、（Ａ）は、その電飾ユニットの正面図、（Ｂ）はその電飾ユニットの側面図、図１１は、上記従来の電飾ユニットを中心とした遊技盤の縦断面図である。
【０００３】
遊技盤は、遊技機本体内に着脱可能に組み込まれた略正方形のものであり、この盤面には、遊適宜配設された多数本の釘からなるゲージを囲繞することにより所要の大きさの遊技領域が区画形成されており、その遊技領域には、従来の電飾ユニット１を配設するための開口部が配設されている。
【０００４】
従来の電飾ユニット１は、遊技盤に配設された開口部と対応する輪郭形状に形成した特注の回路基板２上に、複数個の発光体であるＬＥＤ３…を所要の配置にして実装しているとともに、その回路基板２の前面側に、これと所要の間隔をおいて遊技盤４の前面側に配設するレンズ部材５を取り付けたものである。
【０００５】
上記回路基板２の正面には、ＬＥＤ３…から発せられた光を反射するレジストと称される白色の反射材（図示しない）を塗布若しくは貼付することにより、反射効率を高める工夫がなされている。
【０００６】
上記した構成からなる電飾ユニット１は、これを、遊技盤４に穿設した開口部であるユニット嵌合用孔６に、その遊技盤４の遊技領域が形成された正面から裏面に向けて差し込むようにして嵌合しておき、これをビス等の固定部材により固定する。
その後、その回路基板２に対して遊技盤４側に設けられ、中央制御装置から送出される命令信号をＬＥＤに伝達するための結合端子どうしを結合していた。
【０００７】
【発明が解決しようとする課題】
しかしながら、上記電飾ユニット１を遊技盤４のユニット嵌合用孔６に嵌合固定した後、当該電飾ユニット１の回路基板２の接続端子と遊技盤４側の接続端子とを結合する必要がある。
【０００８】
そのため、例えばその結合した配線の一部が導通不良になっていたりあるいはＬＥＤ３…の一部が壊れている等の原因によってＬＥＤ３…の少なくとも一部が点灯しない場合には、一度嵌合固定及び結合処理した電飾ユニット１自体を遊技盤４から取り外した後、再度、別の電飾ユニット１を嵌合固定し直すとともに双方の接続端子どうしを結合しなおす必要が生じ、その作業が煩雑であるとともにその交換に長時間を要する。
【０００９】
また、電飾ユニット１は、これの構成部品が分解できないようにして一体的に形成されているので、破損したレンズ部材５だけを交換することができず、上記のように一部のＬＥＤ３…だけが壊れているにすぎないときにも、電飾ユニット１全体を交換する必要があって不経済である。
【００１０】
このような電飾ユニット１の交換作業は、従来から行われている遊技盤４のリサイクル作業においても繰り返し行われており、電飾ユニット１のデザイン変更や上記導通不良又は破損等によって生じる交換作業の効率を低下させる大きな要因になっている。
【００１１】
さらに、遊技中において打ち出された遊技球が遊技盤内の遊技領域内の上記開口部に配設した電飾ユニット１に衝突すると、当該電飾ユニット１が破損する虞がある。
この場合、上述したように、当該電飾ユニット１の構成部品が分解不可能に一体的に形成されているので、破損したレンズ部材５だけを交換することができず、その破損したレンズ部材５を含む電飾ユニット１全体を交換する必要があって不経済である。
【００１２】
さらに、回路基板２には、これのＬＥＤ３…を配設実装した所要の配設領域に、ＬＥＤ３…から発せられた光を反射する白色のレジストと称される反射材を塗布して照度を高める必要があったので、当該電飾ユニット１の製造工程の煩雑化を招いている。
【００１３】
そこで本発明は、遊技盤の取付けや交換を行う際、電気的な装飾装置と遊技関連部品との接続作業を行う必要がなく、また、電気的な装飾装置を含む電飾部品の一部に故障が生じたときにも、当該故障が生じた部分だけを交換することができる遊技機の提供を目的としている。
【００１４】
【課題を解決するための手段】
請求項１記載の発明は、遊技関連部品を取り付けるための取付け版体が、遊技盤に着脱自在に装着されているとともに、その遊技盤の所要位置に形成した開口部に臨むように配設した電気的な装飾装置が、この配設領域を含む広い面積となるように形成した基板上に配設されており、その基板を、上記取付け版体の遊技盤との対向面に固定していることを特徴としている。
【００１５】
請求項２記載の発明は、上記電気的な装飾装置が、取付け版体に対し所要の取付け機構によって取り付けられているものである。
【００１６】
請求項３記載の発明は、電気的な装飾装置が、発光体と、この発光体を囲繞しかつ開口部に臨むようにした発光体囲繞部材とを有しており、その発光体囲繞部材を、上記の発光体から発せられた光を反射しやすい色彩にしている。
【００１７】
請求項４記載の発明は、発光体囲繞部材が、開口部とほぼ同じ輪郭形状にした底壁の周囲に側壁を立設した有底器形のものであり、その底壁に発光体を組み込むための発光体取付け部が形成されている。
【００１８】
請求項５記載の発明は、取付け版体に、遊技媒体の流下通路を形成する通路部材が設けられているものである。
【００１９】
請求項６記載の発明は、遊技盤に設けられた複数の開口部に複数の装飾装置を配設した基板を取付け版体に取り付けた構成になっている。
【００２０】
【発明の実施の形態】
所謂ホール等に設置されている遊技機は、直径約２５（ミリ）のメダルや外径約１１（ミリ）の遊技球その他の遊技媒体の供給に基づいて、所謂ゲームとも呼称される種々の遊技を行なうことができるようになっている。
【００２１】
上記従来の遊技機は、各々の遊技性を基準として、風俗営業の適正化等の規制及び業務の適正化等に関する法律（以下「風営適正化法」という。）及び同法施行規則において、ぱちんこ遊技機，回胴式遊技機等として区分されている。
【００２２】
上記区分されているぱちんこ遊技機は、これに設けられる電動役物の違いにより、さらに次のように分類されている。
「第一種」
既定の入賞口に遊技球を入賞されることにより当否の抽選を行い、その結果、当りの場合には、通常の遊技状態から遊技者にとって有利な遊技状態に移行させることを内容とするもの。
【００２３】
「第二種」
予め定められた入賞口へ遊技球を受入れさせる入賞状態にすることにより、可動片によって規制された入賞領域へ遊技球を受容させ得るようにして、機械的な遊技球振り分け装置に基づき予め定められた入賞口へ到達させて入賞状態にすることにより、通常の遊技状態から遊技者にとって有利な遊技状態に移行させることを内容とするもの。
【００２４】
「第三種」
通常の遊技状態から遊技者にとって有利な遊技状態に移行させる条件が満たされたときに、当該有利な遊技状態にするために予め定められた入賞口へ遊技球を受入れさせる入賞状態にする条件が必要となるもの。
【００２５】
以下に、本発明の実施の形態について図面を参照して説明するが、ここでは、上記遊技媒体として示した遊技球やメダルのうち、遊技球を用いた遊技を行うぱちんこ遊技機（以下「弾球遊技機」ともいう。）を例とし、さらに詳しくは、上記した第一種特別電動役物を設けた弾球遊技機の一側部に、プリペイドカードＣに記録されている情報を読み取るためのプリペイドカードユニット（以下「ＣＲユニット」という。）を並設した構成のものについて説明する。
【００２６】
図１は、一実施形態に係る本発明遊技機及びＣＲユニットの外観斜視図、図２は、その遊技機の受け皿付扉を取り外した状態の正面図である。なお、本実施形態においては、上述したように遊技機としてぱちんこ遊技機を示している。
【００２７】
一実施形態に係るぱちんこ遊技機Ａは、遊技盤７を、これに形成した遊技領域７ａが視認できる正面位置に固定した遊技機本体８に、その遊技盤７を覆う主扉９と受け皿付扉１０とを上下にしかつ開閉自在に取り付けた外観構成になっている。
【００２８】
上記の遊技機本体８は、例えば木製の縦長方形の外枠ｋに内設されることにより、ホール等に設置した所謂島設備等に配列固定されるようになっている。
【００２９】
主扉９は、詳細を後述する遊技盤７を視認できるほぼ円形の窓孔９ａを形成した扉板１１に、ガラスや樹脂等で形成した透明板１２を嵌め込んだものであり、その扉板１１の上部中央に枠ランプ１３を、また、これの左右両側にスピーカ１４，１４を配設している。
なお、この主扉９の開閉は、図示しないロック機構により遊技機本体８に対してロック及びアンロックするようになっている。
【００３０】
遊技盤７は、主扉９の上記窓孔９ａに対向しかつ遊技機本体８に対して着脱可能に取り付けられており、それは、縦横約５００（ミリ）程度の略正方形にした例えば木製のものである。
【００３１】
受け皿付扉１０で覆われる上記遊技機本体８の正面下方には、発射駆動装置１５がやや左側部寄りに、また、遊技球排出路を備えた遊技球貯溜部１６がほぼ中央部分に配設されている。
【００３２】
受け皿付扉１０の上半部側には、払い出された多数の遊技球ａ…を貯留できかつそれら遊技球ａ…を発射駆動装置１５に向けて案内する案内通路が設けられた受け皿１７が突設されているとともに、下半部側には、回動式操作ハンドルＨと回動可能な灰皿１８とが、上記受け皿１７を挟む両側下方に配設されている。
なお、１９，１９は、受け皿１７に貯留させた遊技球ａを、所謂ドル箱とも呼称される遊技球収集箱（図示しない）に排出するための排出釦である。
【００３３】
回動式操作ハンドル（以下「操作ハンドル」という。）Ｈは、上記発射駆動装置１５に案内された遊技球ａを前記遊技盤７内に区画形成された、詳細を後述する遊技領域７ａに向けて打ち出すための発射駆動調整を行うためのものである。
【００３４】
灰皿１８の上側には、ＣＲユニット２０に挿入したプリペイドカードＣのカード返却釦２１と貸し球用釦２２を配設した釦付き凸部２３が形成されているとともに、操作ハンドルＨの上側には当該凸部２３と正面視左右対称の位置に同径同大の装飾凸部２４が形成されている。
なお、受け皿付扉１０の開閉は、前記した主扉９と同じく、図示しないロック機構によって遊技機本体８に対してロック及びアンロックするようになっている。
【００３５】
遊技盤７の正面には、打ち出された遊技球ａの滑走をガイドする機能を有し、かつ、適宜配設された多数本の釘（図示しない）からなるゲージを囲繞することにより、直径約３００（ミリ）程度の遊技領域７ａを略円形に区画形成するガイドレール２５，２６が撓曲形成されている。なお、遊技領域７ａは遊技球を流下させる範囲でもある。
【００３６】
遊技領域７ａのほぼ中央部分には、識別情報や所定のアニメーションキャラクター等を表示させるためのＬＣＤ（Ｌｉｑｕｉｄ  Ｃｒｙｓｔａｌ  Ｄｉｓｐｌａｙ）等からなる、正面視横長方形の表示装置（以下「ディスプレイ」という。）２７が配置されている。
【００３７】
ディスプレイ２７には、正面視略方形枠形の飾り部材２８が取り付けられており、その飾り部材２８の中央上部には、回転式発光装置であるパトライト２９が配置されているとともに、そのパトライト２９の左右両側部のうちの一方（正面視右側部）には、４つの通過保留数表示ランプ３０…が、また、他側部（正面視左側部）には普通図柄ＬＥＤ３１，３２が配設されている。
【００３８】
上記したパトライト２９の下部には、センター上側ＬＥＤ３３が横長にして配置されているとともに、これの下部には、４つの特定保留数表示ランプ３４〜３７がそれぞれ横一列に配列されている。
【００３９】
ところで、前述したディスプレイ２７の両側下部には、２つの風車３８，３８が左右対称に振り分けて配設されているとともに、当該ディスプレイ２７の下方には、電動チューリップ３９を近設した始動口４０が配設されている。
【００４０】
始動口４０は、これに前記発射駆動装置１５から発射された遊技球ａが、図８に示す特定入賞球検知センサ６３によって検知されることによって、大当たり等の判定を行うための抽選や、識別情報の変動態様，停止態様（仮停止態様を含む）を上記ディスプレイ２７に表示させ、また、所定数の遊技球を賞球として払い出す契機とするためのものである。
【００４１】
上記始動口４０の左右両側方にはスルーチャッカ４１，４１が所要の間隔をもって配設されているとともに、上記電動チューリップ３９の下方には大入賞口４２が配設されている。
【００４２】
スルーチャッカ４１は、これを遊技球ａが通過することにより前記普通図柄ＬＥＤ３１，３２を点灯表示させる契機とするためのものである。
【００４３】
電動チューリップ３９は、始動口４０の開口範囲を、電気的な駆動装置（図示しない）によって拡縮する可動部材３９ａ，３９ａを有しているものである。
【００４４】
前記遊技領域７ａには、前記飾り部材２８の他、略円形にしたガイドレール２６に沿って、上記大入賞口４２を形成したセンター飾り部材４３、入賞口４６ａを形成した袖飾り部材４４，４４′、サイド飾り部材４５，４５′が適宜配設されている。なお、４７は、入賞しなかった遊技球ａを回収するためのアウト口である。
【００４５】
上述した遊技盤７の裏面には、遊技関連部品を取り付けるための取付け版体Ｂを介して、後記する主制御装置５６その他の制御関連装置が取り付けられており、その詳細は次のとおりである。図３は、一例に係る取付け版体Ｂの正面図、図４は、その取付け版体Ｂの裏面図、図５は、その取付け版体Ｂの側面図、図６は、その取付け版体Ｂを遊技盤の裏面に取り付けた状態の概略断面図、図７は、レンズ様のサイド飾り部材を示すものであり、（Ａ）はその正面図、（Ｂ）はその側面図である。
【００４６】
取付け版体Ｂは、上下版材の部分４８ａ，４８ｂ、これらよりもやや幅広の左右版材の部分４８ｃ，４８ｄからなる正面視略ロ字形に形成されており、公知のビス止め部材やクイックリリース部材等を含む固定部材Ｄによって、図６に示すように、遊技盤７の裏面に対し着脱自在に対設されている。この「対設」は、本実施形態においては、遊技盤７に取付け版体Ｂが密接若しくは密着している状態、及び所要の間隔をおいて離間している状態の双方を含む意味である。
【００４７】
上記下版材の部分４８ｂ、左右版材の部分４８ｃ，４８ｄには、取付け版体Ｂを対設する際の遊技盤７側に対向する面（以下「対向面」という。）４８′に、遊技盤７に設けられた入賞口に受入された遊技球ａを所定の受部に流下ガイドするための流下通路４８ｅ、４８ｆ，４８ｇが、これの対向面４８′側に膨出させた突出リブを設けることにより形成されている。本実施形態においては、突出リブが上記流下通路４８ｅ、４８ｆ，４８ｇを形成する通路部材である。
【００４８】
左右版材の部分４８ｃ，４８ｄの上記対向面４８′側には、これらに形成された上記流下通路４８ｇ，４８ｆの両外側に、電気的な装飾装置を配設し得る基板である回路基板４９，５０が固定されている。
【００４９】
回路基板４９は、取付け版体Ｂを遊技盤７に取り付けた際、その遊技盤７の所要位置に形成した開口部７ｂ，７ｃ（図６参照）に臨ませて配設する電気的な装飾装置である複数のＬＥＤ等の発光体（以下「ＬＥＤ」という。）５１…を、点灯制御する装置の配設領域を含む広い面積となるように形成した縦長の基板であり、上記取付け版体Ｂの遊技盤７との対向面にねじ部材及びねじ受け部材からなる取付け機構によって着脱可能に取り付けられている。
【００５０】
回路基板４９の縦方向の長さＬは、レンズ様のサイド飾り部材４５と、袖飾り部材４４の一部を構成しているＬＥＤ５１…の点灯制御をする装置を含む広い面積となるように設定している。これにより、それら飾り部材毎に対応した別個の回路基板を配設する必要がなく簡易な構造にできるとともに、その着脱も容易に行える。
【００５１】
上記の「所要位置に形成した開口部」とは、詳細を後述するサイド飾り部材４５，４５′や袖飾り部材４４，４４を視認可能に配設するために遊技盤７に設けられたものであり、後述する発光体囲繞部材５２の正面視外周部における輪郭とほぼ同じ輪郭にした相似形状の開口部になっている。
【００５２】
サイド飾り部材４５を、また、開口部７ｃは袖飾り部材４４をそれぞれ配設するためのものであり、発光体囲繞部材５２，発光体囲繞部材５２′の正面視外周部における輪郭とほぼ同じ輪郭にした相似形状の開口部７ｂ，７ｃとなっている。
【００５３】
サイド飾り部材４５は、図６，７に示すように、レンズ部材５３及び発光体囲繞部材５２と、複数の上記ＬＥＤ５１…を備えてなる装飾装置を有して構成されている。
【００５４】
サイド飾り部材４５の一部をなすＬＥＤ５１…は、正面視における上記開口部７ｂの輪郭と対応する配設領域内に所要の間隔で配列され、回路基板４９上に点灯制御し得るように電気的接続が施されて実装されている。本実施形態においては、互いに同色に発光する１０個のＬＥＤ５１…を示しているが、個数や発光色の組み合わせについては適宜設定できるものである。
【００５５】
発光体囲繞部材５２は、上記したＬＥＤ５１…から発せられる光を反射しやすい白色にしたＡＢＳその他の合成樹脂製のものであり、遊技盤７に設けられた開口部７ｂの外周に合わせた輪郭形状にした底壁５２ａの周囲に側壁５２ｂを立設した浅い有底器形になっており、その底壁５２ａの上記回路基板４９に実装されたＬＥＤ５１…に対応する位置に、発光体遊挿孔であるＬＥＤ遊挿孔５２ｃ…，５２ｄ…が発光体取付け部として形成されている。
【００５６】
すなわち、上記の発光体囲繞部材５２を回路基板４９上の開口部７ｂに臨ませるようにする所定位置に取り付けると、ＬＥＤ遊挿孔５２ｃ…，５２ｄを介してＬＥＤ５１…が当該発光体囲繞部材５２内に突出した状態になる。
なお、本実施形態においては、発光体囲繞部材５２を回路基板４９に対してねじ部材及びねじ受け部材からなる取付け機構によって着脱可能に取り付けており、これにより、回路基板４９付きの取付け版体Ｂであっても再生（リサイクル）使用する際の作業を所定の形状と合わせた発光体囲繞部材の交換で対応できるようにし、容易にかつ迅速に行えるようにしている。
【００５７】
また、ＬＥＤ５１…を白色にした側壁５２ｂによって囲繞しているので、それらＬＥＤ５１…から発せられた光を効率よく開口部７ｂに向けて集光反射させられるとともに、取付け版体Ｂの運搬時等においてそれらＬＥＤ５１…に外部のものが衝接することを防止でき、衝接に伴う不時の故障等を生じさせることがない。
【００５８】
レンズ部材５３は、開口部７ｂよりも一回り大きな相似形にしたレンズ部５３ａの裏面に、当該開口部７ｂに着脱自在に嵌合する鍔部５３ｂを突設してなるものであり、例えば半透明に着色した合成樹脂製のものである。
【００５９】
換言すると、上記したサイド飾り部材４５は、遊技領域７ａを形成した遊技盤７の正面側からの着脱を行えるレンズ部材５３と、回路基板４９に実装されているＬＥＤ５１…、及び当該回路基板４９に取り付けられている発光体囲繞部材５２を備えてなる装飾装置から構成されている。
本実施形態においては、レンズ部材５３の鍔部５３ｂを開口部７ｂに嵌合することによる取付け例について説明したが、当該嵌合に限らずねじ止め等の着脱可能なものを採用することができる。
【００６０】
上記構成のサイド飾り部材４５によれば、開口部７ｂに着脱自在に嵌合するようにしているので、例えば当該レンズ部材５３に遊技球ａが衝突して破損するようなことがあっても、当該破損したレンズ部材５３だけを交換できて配線接続等をし直す必要がなく、また、遊技盤７や取付け版体Ｂを取り外す等の煩雑なレンズ部材５３の交換作業を行わなくてよい。
【００６１】
次に、上記各袖飾り部材４４は、レンズ部材４６及び発光体囲繞部材５２′、複数の上記ＬＥＤ５１…を備えた装飾装置を有して構成されている。
【００６２】
袖飾り部材４４の一部をなすＬＥＤ５１…は、正面視における上記開口部７ｃの輪郭と対応する配設領域内に所要の間隔で配列され、回路基板４９上に点灯制御し得るように電気的接続が施されて実装されている。本実施形態においては、互いに同色に発光する１０個のＬＥＤ５１…を示しているが、個数や発光色の組み合わせについては適宜設定できるものである。
【００６３】
発光体囲繞部材５２′は、上記したＬＥＤ５１…から発せられる光を反射しやすい白色にしたＡＢＳその他の合成樹脂製のものであり、遊技盤７に設けられた開口部７ｂの外周に合わせた輪郭形状にした底壁５２ａ′の周囲に側壁５２ｂ′を立設した浅い有底器形になっており、その底壁５２ａ′の上記回路基板４９に実装されたＬＥＤ５１…に対応する位置に、発光体遊挿孔であるＬＥＤ遊挿孔５２ｃ′，５２ｄ′…が発光体取付け部として形成されている。
【００６４】
すなわち、発光体囲繞部材５２′を回路基板４９上の開口部７ｃに臨ませるようにする所定位置に取り付けると、ＬＥＤ遊挿孔５２ｃ′，５２ｄ′…を介してＬＥＤ５１…が当該発光体囲繞部材５２内に突出した状態になる。
なお、本実施形態においては、発光体囲繞部材５２′を回路基板４９に対してねじ部材及びねじ受け部材からなる取付け機構によって着脱可能に取り付けている。
これにより、回路基板４９付きの取付け版体Ｂであっても再生（リサイクル）使用する際の作業を所定開口形状と合わせた発光体囲繞部材の交換で対応できるようにし、容易にかつ迅速に行えるようにしている。
【００６５】
また、ＬＥＤ５１…を白色にした側壁５２ｂ′によって囲繞しているので、それらＬＥＤ５１…から発せられた光を効率よく開口部７ｃに向けて集光反射させられるとともに、取付け版体Ｂの運搬時等においてそれらＬＥＤ５１…に外部のものが衝接することを防止でき、衝接に伴う不時の故障等を生じさせることがない。
【００６６】
レンズ部材４６は、入賞口（チャッカ）４６ａ，４６ａ、４６ｂ，４６ｂが所要位置に形成されているとともに、略円形状のガイドレール２６に沿う所要の形状にしたレンズ部の裏面に、当該開口部７ｃに着脱自在に嵌合する鍔部５３ｂ′を突設してなるものであり、例えば半透明に着色した合成樹脂製のものである。
【００６７】
換言すると、袖飾り部材４４は、遊技盤７の遊技領域を形成した正面側からの着脱を行えるレンズ部材４６と、回路基板４９に実装されているＬＥＤ５１…、及び当該回路基板４９に取り付けられている発光体囲繞部材５２′を備えてなる装飾装置から構成されている。
【００６８】
上記においてはサイド飾り部材４５，袖飾り部材４４について説明したが、サイド飾り部材４５′及び袖飾り部材４４′については、当該サイド飾り部材４５，袖飾り部材４４とほぼ同等の構成になっているので、それらについては同等のものに同一の符号を付して説明を省略する。また、回路基板５０は、回路基板４９と左右対称にして形成されている点を除けば、当該回路基板４９と同等の構成になっているので、ここではその説明を省略する。
【００６９】
次に、回路系統について図８を参照して説明する。図８は、一実施形態に係る本発明遊技機の制御回路を示すブロック図である。
５６はコンピュータである主制御装置であり、これには、制御プログラムに従って本ぱちんこ機Ａの主要部の制御機能を有する中央命令処理部であるＣＰＵ（Ｃｅｎｔｒａｌ  Ｐｒｏｃｅｓｓｉｎｇ  Ｕｎｉｔ）５７、制御プログラム（乱数テーブルを含む）等が記憶されたＲＯＭ（Ｒｅａｄ  Ｏｎｌｙ  Ｍｅｍｏｒｙ）５８、上記ＣＰＵ５７のワーク用メモリ（状態データテーブル、乱数メモリを含む）としてのＲＡＭ（Ｒａｎｄｏｍ  ａｃｃｅｓｓ  Ｍｅｍｏｒｙ）５９、及び周期的なクロック信号を生成する水晶発振回路部６０を有して構成されている。
【００７０】
前記主制御装置５６の入力側には、電源供給装置６１の他、入力インターフェース６２を介して、特定入賞球検知センサ６３、特別入賞球検知センサ６４、入賞特定領域検知センサ６５、通過球検知センサ６６、その他入賞球検知センサ６７、遊技球払出検知センサ６８及びエラー検知センサ６９等が接続されている。
【００７１】
特定入賞球検知センサ６３は、前記始動口４０等の特定入賞口に入賞した遊技球を検知するためのものである。
【００７２】
特別入賞球検知センサ６４は、大入賞口４２等の特別入賞口に入賞した遊技球を検知するためのものである。
【００７３】
前記主制御装置５６の出力側には、集中管理装置７０の他、出力インターフェース７１を介して、それぞれ詳細を後述する図柄制御装置７２，ランプ制御装置７３，音声制御装置７４，払出制御装置７５，発射制御装置７６，及び可動物制御装置７７等の各副制御装置が接続されている。
【００７４】
それら図柄制御装置７２，ランプ制御装置７３，音声制御装置７４，払出制御装置７５，発射制御装置７６，可動物制御装置７７のうち、図柄制御装置７２，ランプ制御装置７３，音声制御装置７４，払出制御装置７５、及び主制御装置５６が取付け版体Ｂの対向面とは反対側の裏面に配設されるようになっている。
換言すると、取付け版体Ｂの裏面には、主制御装置５６と、副制御装置の一部が取り付けられている。なお、図４には、ランプ制御装置７３，音声制御装置７４については示しているが、図柄制御装置７２と主制御装置５６については示していない。
【００７５】
上記した各副制御装置の詳細は次のとおりである。
図柄制御装置７２は、ＣＰＵ７２Ａ、このＣＰＵ７２Ａに接続されたＲＯＭ７２Ｂ及びＲＡＭ７２Ｃが搭載されてなるものであり、これの出力側には、ビデオ・ディスプレイ・プロセッサ（ＶＤＰ：Ｖｉｄｅｏ  Ｄｉｓｐｌａｙ  Ｐｒｏｃｅｓｓｏｒ）７８を介して前記ディスプレイ２７が、また、ビデオ・ディスプレイ・プロセッサ７８を介することなく、前記普通図柄ＬＥＤ３１，３２が接続されている。
【００７６】
この図柄制御装置７２により、上記主制御装置５６から送信される制御信号に基づき、ビデオ・ディスプレイ・プロセッサ７８を介してディスプレイ２７を表示制御するとともに、普通図柄ＬＥＤ３１，３２を表示制御するようになっている。
【００７７】
ランプ制御装置７３は、ＣＰＵ７３Ａ、このＣＰＵ７３Ａに接続されたＲＯＭ７３Ｂ及びＲＡＭ７３Ｃを搭載してなるものであり、上記主制御装置５６から送信される制御信号に基づいて、通過保留数表示ランプ３０…、特定保留数表示ランプ３４〜３７、上記したサイド飾り部材４５，袖飾り部材４４のＬＥＤを含む盤面関係の電飾７９、及び前記枠ランプ１３を含む主扉９関係の電飾８０等を点滅制御する機能を有している。
【００７８】
音声制御装置７４は、ＣＰＵ７４Ａ、このＣＰＵ７４Ａに接続されたＲＯＭ７４Ｂ及びＲＡＭ７４Ｃを搭載してなるものであり、上記主制御装置５６から送信される制御信号に基づいて、主扉９に配設された前記スピーカ１４，１４やサウンドプロセッサを含む音声発生装置８１を制御する機能を有するものである。
【００７９】
払出制御装置７５は、ＣＰＵ７５Ａ、このＣＰＵ７５Ａに接続されたＲＯＭ７５Ｂ及びＲＡＭ７５Ｃを搭載してなるものであり、上記主制御装置５６から送信される制御信号に基づいて、遊技球払出装置８２及び前記したＣＲユニット２０を制御する機能を有している。なお、本実施形態においては、球貸し信号制御装置８３は、払出制御装置７５と直接通信できるように回路接続されている。
【００８０】
可動物制御装置７７は、前記電動チューリップ３９の可動片３９ａ，３９ａ、大入賞口４２の開閉扉の他、本実施形態においては図示していないが、遊技球を振り分けるための振分け部材、演出を行うための演出部材等を適宜駆動制御するものである。
【００８１】
発射制御装置７６は、上記した操作ハンドルＨによる遊技球発射信号、及び上記主制御装置５６から送信される制御信号に基づき、発射駆動装置１５を制御する機能を有しているものである。
【００８２】
次に、取付け版体Ｂを遊技盤７の裏面に取り付ける作業と取り外す作業について、図９を参照して説明する。図９は、遊技盤７，取付け版体Ｂ及びサイド飾り部材４５のレンズ部材５３の取付け関係を示す分解図である。
【００８３】
前述した取付け版体Ｂを遊技盤７の遊技領域が形成されていない裏面の所定位置に取り付けると、発光体囲繞部材５２が遊技盤７の開口部７ｂに対向し、ＬＥＤ５１…が当該開口部７ｂに臨むようになる。
その後、レンズ部材５３を遊技盤７の遊技領域が形成されている正面側から開口部７ｂに嵌合することにより、サイド飾り部材４５が組み上がる。
【００８４】
すなわち、本実施形態においては、サイド飾り部材４５を組み上げるときに電気的な接続をする必要がない。
【００８５】
遊技中において、例えば遊技球ａがレンズ部材５３に衝接した場合において、当該レンズ部材５３が破損することがあるが、この場合には、遊技盤７の正面側から破損したレンズ部材５３を取り外し、新たなものと交換すればよい。すなわち、従来のような取付け版体Ｂの取り外しと取り付け作業を行う必要がなく、さらに、電気的な接続もやり直す必要がない。なお、袖飾り部材４４についても上記サイド飾り部材４５と同様である。
【００８６】
本発明は前述した実施形態に限るものではなく、次のような変形実施が可能である。
上記においては、ＬＥＤを電気的な装飾装置の一例として説明したが、これに限るものではなく、例えば装飾的な効果を得るための電気的に駆動される可動部材であってもよい。
【００８７】
上記においては、１つの開口部に複数のＬＥＤ（発光体）が臨むように配設した例について説明したが、１つの開口部に単一のＬＥＤを臨ませた構成にしてもよいことは勿論である。敷衍すると、遊技盤に設けられた複数の開口部に複数の装飾装置を配設した基板を取付け版体に取り付けた構成にすることができる。
【００８８】
【発明の効果】
請求項１〜６記載の発明によれば、制御装置やこの制御装置を収容するケース等を含む遊技関連部品を取り付けるための取付け版体が、遊技盤の裏面側等に着脱自在に装着されているとともに、その遊技盤の所要位置に形成した開口部に臨むように配設した電気的な発光体や可動体等を作動させる装飾装置が、この配設領域を含む広い面積となるように形成した基板上に配設態様の自由度を高めるように配設されており、その基板を、上記取付け版体の遊技盤との対向面に接着剤や着脱自在なロック機構を含む固定部材等によって固定することが可能なので、遊技盤の取り付けや交換を行う際、電気的な装飾装置と遊技関連部品との接続作業の煩雑さを解消できる。
また、電気的な装飾装置を含む電飾部品の一部に故障が生じたときにも、当該故障が生じた部分だけを対象に交換することができ、その交換作業を容易に行うことができるとともに経済的である。
【００８９】
請求項１〜６記載の発明で得られる上記共通の効果に加え、各請求項記載の発明によれば次の効果を得ることができる。
請求項２記載の発明によれば、電気的な装飾装置は、取付け版体に対し所要の取付け機構によって取り付けられているので、取付け版体と電気的な装飾装置とを取り外しやすい。
なお、電気的な装飾装置における取り付けとは、動力源や制御装置等との接続を含んでもよい。
【００９０】
請求項３記載の発明によれば、電気的な装飾装置が、発光体と、この発光体を囲繞しかつ開口部に臨むようにした発光体囲繞部材とを有しており、その発光体囲繞部材を、上記の発光体から発せられた光を反射しやすい色彩にしているので、発光体から発せられた光を効率よく反射でき、装飾効果を高められる。また、発光体囲繞部材によって、発光体を外的衝撃から保護することもできる。
【００９１】
請求項４記載の発明によれば、発光体囲繞部材が、開口部とほぼ同じ輪郭形状にした底壁の周囲に側壁を立設した有底器形のものであり、その底壁に発光体を組み込むための発光体取付け部が形成されているので、底壁によっても発光体の光を効率よく反射させることができ、装飾効果をさらに向上させられる。
また、このことにより、開口部の形状変更があった際に、発光体囲繞部材の交換だけで、他の部材の共通化を図ることができる。
【００９２】
請求項５記載の発明によれば、取付け版体に、遊技媒体の流下通路を形成する通路部材が設けられているので、その取付け版体とは別の部材に遊技球の流下通路を形成する必要がなく、構造を簡易なものとすることができるとともに、製造コストの低減を図ることができる。
【００９３】
請求項６記載の発明によれば、遊技盤に設けられた複数の開口部に複数の装飾装置を配設した基板を取付け版体に取り付けているので、１つの基板で多様な装飾効果を得られるとともに、接続作業の煩雑さを解消できる。
【図面の簡単な説明】
【図１】一実施形態に係る本発明遊技機及びＣＲユニットの外観斜視図である。
【図２】同上の遊技機の主扉と受け皿付扉とを取り外した状態の正面図である。
【図３】一例に係る取付け版体の正面図である。
【図４】同上の取付け版体の裏面図である。
【図５】同上の取付け版体の側面図である。
【図６】同上の取付け版体を遊技盤の裏面に取り付けた状態の概略断面図である。
【図７】サイド飾り部材を示すものであり、（Ａ）はその正面図、（Ｂ）はその側面図である。
【図８】一実施形態に係る本発明遊技機の制御回路を示すブロック図である。
【図９】遊技盤、取付け版体及びレンズ部材の取付け関係を示す分解図である。
【図１０】遊技盤に配設されている従来の電飾ユニットを示すものであり、（Ａ）は、その電飾ユニットの正面図、（Ｂ）はその電飾ユニットの側面図である。
【図１１】従来の電飾ユニットを中心とした遊技盤の縦断面図である。
【符号の説明】
７                      遊技盤
７ｂ                    開口部
４８ｅ，４８ｆ，４８ｇ  流下通路
４９                    基板である回路基板
５１                    装飾装置である発光体（ＬＥＤ）
５２                    発光体囲繞部材
５２ａ                  底壁
５２ｂ                  側壁
５２ｃ，５２ｄ          発光体遊挿孔であるＬＥＤ遊挿孔
５３                    レンズ部材
５６                    制御関連装置の一例である主制御装置
Ｂ                      取付け版体
【図１】
2004337363.tif 000003
【図２】
2004337363.tif 000004
【図３】
2004337363.tif 000005
【図４】
2004337363.tif 000006
【図５】
2004337363.tif 000007
【図６】
2004337363.tif 000008
【図７】
2004337363.tif 000009
【図８】
2004337363.tif 000010
【図９】
2004337363.tif 000011
【図１０】
2004337363.tif 000012
【図１１】
2004337363.tif 000013